【事件の表示】
　特願２００４−１６０７２８「遊技機」拒絶査定不服審判事件〔平成１７年１２月　８日出願公開、特開２００５−３３４５３６〕について、次のとおり審決する。
【結　論】
　本件審判の請求は、成り立たない。
【理　由】
第一．手続の経緯
　本願は、平成１６年５月３１日の出願であって、拒絶理由に対して平成２２年３月１０日付けで手続補正がなされ、その後、同年８月４日付けでなされた拒絶査定に対し、同年９月２９日に拒絶査定不服審判が請求されるとともに、手続補正がなされたものである。
　また、当審において、同年１２月９日付けで審査官による前置報告書の内容を添付して審尋を行い、請求人から平成２３年２月９日に回答書が提出されている。
　
第二．平成２２年９月２９日付けの手続補正についての補正却下の決定
［補正却下の決定の結論］
　平成２２年９月２９日付けの手続補正（以下「本件補正」という。）を却下する。
　
［理由］
１．本件補正後の本願発明
　本件補正により補正された、特許請求の範囲の請求項１記載の発明（以下「本願補正発明」という。）は次のとおりである。
「　前面が開放した筐体と、該筐体の側部を形成する
左右の
いずれか
前記主制御基板の制御に基づいて演出制御信号を出力可能な副制御基板と、
、前記主制御基板の制御に基づいて前記リールユニットの後記回転リールの回転を制御するための回転リール制御基板と
、所定の遊技状態になったとき点灯または点滅するランプと
　前記リールユニットは、外周面に前記識別情報が表示された回転リールと、該回転リールを支持するための
左右の側板部を有するとともに
　前記主制御基板
は、前記筐体内にあって前記リール枠体の真後ろ上方に取り付けられるとともに、前面下部に副制御基板用電気的接続ケーブルの一端が接続される副制御基板出力コネクタと、表示手段用電気的接続ケーブルの一端が接続される表示出力コネクタと、スイッチ入力用電気的ケーブルの一端が接続されるスイッチ入力コネクタと、回転リール用電気的接続ケーブルの一端が接続される回転リール出力コネクタとを左右方向に並設し、かつ前記副制御基板出力コネクタ、前記表示出力コネクタ及び前記スイッチ入力コネクタを
間の真ん中よりも前記一方の側板寄りに
　前記副制御基板は、前記リール枠体の前記左右の側板部のうち、前記筐体の前記一方の側板の内面に対向する方の側板部の対向面に、前記一方の側板の内面から離間するように縦置きに固定されるとともに、前記副制御基板用電気的接続ケーブルの他端が接続される主制御基板入力コネクタ、サブリール基板用電気的接続ケーブルの一端が接続されるサブリール基板出力コネクタ及び前記ランプへ制御信号を送信するための演出用電気的接続ケーブルが接続される演出出力コネクタを有し、　前記リール枠体の上面に、前記回転リール用電気的接続ケーブルの他端が接続される前記回転リール制御基板、及び前記サブリール基板用電気的接続ケーブルの他端が接続され前記副制御基板から出力される制御信号に基づいて、前記リールユニットにおける前記回転リールのバックライトの点灯及び消灯を制御するためのサブリール基板を配置し、　前記表示手段用電気的接続ケーブル及び前記スイッチ入力用電気的接続ケーブルを、
にあって前記一方の側板の最奥の位置に
にそれぞれ
　
２．補正要件（目的）の検討
　請求項１についての補正は、発明を特定するために必要な事項として、「前記主制御基板の制御に基づいて前記リールユニットの後記回転リールの回転を制御するための回転リール制御基板」、「所定の遊技状態になったとき点灯または点滅するランプ」、「サブリール基板用電気的接続ケーブルの一端が接続されるサブリール基板出力コネクタ」、「前記リール枠体の上面に、前記回転リール用電気的接続ケーブルの他端が接続される前記回転リール制御基板、及び前記サブリール基板用電気的接続ケーブルの他端が接続され前記副制御基板から出力される制御信号に基づいて、前記リールユニットにおける前記回転リールのバックライトの点灯及び消灯を制御するためのサブリール基板を配置し」等の付加を含む補正であるところ、当該補正における「回転リール制御基板」、「ランプ」、「サブリール基板」及びその付属構成は、今回新たに付加された事項である。
　してみると、当該「回転リール制御基板」、「ランプ」、「サブリール基板」を含む前記補正は、特許請求の範囲を限定的に減縮するものではない。
　したがって、本件補正は平成１８年法律第５５号による改正前の特許法第１７条の２第４項の規定に違反するので、同法第１５９条第１項において読み替えて準用する同法第５３条第１項の規定により却下すべきものである。
　よって、結論のとおり決定する。
　
　なお、本件補正が上記改正前の特許法第１７条の２第４項第２号の特許請求の範囲の減縮を目的とするものに該当するとしても、以下の理由により本願補正発明は特許出願の際独立して特許を受けることができないものであるので、本件補正を却下すべきものであることに変わりはない。　
　
３．補正要件（独立特許要件：特許法第３６条第６項第２号）の検討
（１）本件補正後の請求項１においては、表示手段用電気的接続ケーブル及び前記スイッチ入力用電気的接続ケーブルについて、「前記一方の側板の内面と前記副制御基板との間の隙間にあって前記一方の側板の最奥の位置に沿って配線」と限定しているが、当該限定事項は以下に記載するとおり不明りょうであるから、その発明が明確でない。
ａ．そもそも「一方の側板の最奥の位置」の用語は出願当初の明細書には記載されていないことからその定義が不明である。
　また、配線状態が図示されている図２及び図４を参照しても、表示手段用電気的接続ケーブル１０３及びスイッチ入力用電気的接続ケーブル１０４は、主制御基板８を出たところで、後板２ａの適宜位置に設けられた結束具にて結束されている様子が示されているものの、当該位置が「前記一方の側板の内面と前記副制御基板との間の隙間にあって前記一方の側板の最奥の位置」といえるか判然としない。
ｂ．上記結束具にて結束されている電気的接続ケーブルは、中板２３の下に配線されていることが図示され、当該中板２３は、副制御基板９が配設されているリールユニット９をその上に保持しているから、「一方の側板の内面と前記副制御基板との間の隙間」には、上記結束具にて結束されている電気的接続ケーブルは配線されていない。
　よって、「前記一方の側板の内面と前記副制御基板との間の隙間」がどこを示しているのか不明りょうである。
　
（２）まとめ
　本件補正後の請求項１の記載は、以上の様に「前記一方の側板の内面と前記副制御基板との間の隙間にあって前記一方の側板の最奥の位置に沿って配線」という限定事項が不明りょうであるから本願補正発明は明確でない。
　したがって、本件補正後の特許請求の範囲の記載は、特許法第３６条第６項第２号の規定を充足しないので、本願補正発明は特許出願の際独立して特許を受けることができないものである。
　
４．補正要件（独立特許要件：特許法第２９条第２項）の検討
（１）引用された文献の記載事項
　原査定の拒絶の理由に引用された特開２００２−２２４２７１号公報（以下「引用文献１」という。）には、図面とともに、以下の事項が記載されている。
【００２９】図１には本発明の実施例としてのスロットマシンの全体正面図、図２及び図３にはスロットマシン１の内部構造図がそれぞれ示されている。スロットマシン１は、前面が開口する筐体２ａと、この筺体２ａの側端に回動自在に枢支された前面扉２ｂとから構成されており、前面扉２ｂの裏面に設けられた施錠装置３（図３参照）の鍵穴３ａに挿入した所定のキーを時計回り方向に回動操作することにより施錠が解除されて前面扉２ｂを開放することが出来るようになっている。
【００３０】前面扉２ｂの前面上部には上部飾り枠４が設けられており、略逆台形状の上部には、遊技効果ランプ部４１と、演出リール飾り枠３５８がそれぞれ設けられている。この演出リール飾り枠３５８には、遊技の進行に関わる種々の演出を実行する演出用リール３０１Ｌ、３０１Ｃ、３０１Ｒ（図１３、図１４参照）を視認可能とする開口部３５９Ｌ、３５９Ｃ、３５９Ｒが、スロットマシン１の横方向に複数（本実施例では３つ）並設されており、これら開口部３５９Ｌ、３５９Ｃ、３５９Ｒがそれぞれ構成されている。また、この開口部３５９Ｌ、３５９Ｃ、３５９Ｒの左右両側には、主に演出用リール３０１Ｌ、３０１Ｃ、３０１Ｒによる演出の実行時において点灯する演出ランプ３６０（図１１、図１５参照）が内蔵された演出ランプ部３８０が設けられている。
【００３１】上部飾り枠４の略楕円形状の中央部には、遊技パネル６や各種表示部が設けられている。上部飾り枠４の下部は遊技パネル６から前方に突出するように形成されており、この突出部にはメダル投入部３４や各種操作ボタン３５、３６ａ，３６ｂ、３７、４０Ｌ，４０Ｃ，４０Ｒ、及びスタートレバー３８等が設けられている。また、上部飾り枠４の中央部の周囲及び下部の左右側には、遊技効果ランプ部４２〜４５がそれぞれ設けられている。
【００４６】上部飾り枠８の下部における前側面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することにより各リール５１Ｌ、５１Ｃ、５１Ｒの回転が開始される。
【００４７】各ストップボタン４０Ｌ、４０Ｃ、４０Ｒは、ゲームが開始した後にリール５１Ｌ、５１Ｃ、５１Ｒの回転を停止させる際に操作するボタンであり、ストップボタン４０Ｌの内部には操作有効ランプ１２２Ｌが、ストップボタン４０Ｃの内部には操作有効ランプ１２２Ｃが、ストップボタン４０Ｒの内部には操作有効ランプ１２２Ｒが内蔵されている（図１１参照）。これら操作有効ランプ１２２Ｌ、１２２Ｃ、１２２Ｒは、対応するストップボタン４０Ｌ、４０Ｃ、４０Ｒの操作が有効である場合に点灯し、操作が無効である場合に消灯する。また、ストップボタン４０Ｌ、４０Ｃ、４０Ｒが配列されたストップボタンユニット３９は、ビッグボーナス入賞やレギュラーボーナス入賞の当選フラグが設定されている場合に、その内部に内蔵されたボーナス告知ランプ１２０（図１１参照）が点灯する。
【００４９】図２に示されるように、筐体２ａ内略中央部には、ゲーム用識別情報としての複数種の図柄が印刷された透光性を有する帯状のリールシート（図１８参照）が外周に巻回されたリール５１Ｌ、５１Ｃ、５１Ｒ（ゲームの進行を実行するために用いるゲーム用リール）を有するリールユニット５２からなる可変表示装置５０が設けられている。それぞれのリール５１Ｌ、５１Ｃ、５１Ｒは、各々に対応して設けられたステッピングモータからなる電気的駆動源としてのリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、表示窓１４には前記各種図柄が連続的に変化しつつ表示されるようになっている。
【００５２】各リール５１Ｌ、５１Ｃ、５１Ｒ内には各リールの基準位置を検出するリールセンサ５６が設けられており、このリールセンサ５６により所定の図柄の停止位置を導出出来るようになっているとともに、各リール５１Ｌ、５１Ｃ、５１Ｒにおける特定の表示領域（上、中、下段の表示領域）を裏面から個別に照射可能な複数のリールランプ５５がそれぞれ上、中、下段に設けられており、これら各リールランプ５５は、通常時において透視窓１４に表示される各図柄を目立たせるように後方から点灯するバックライトとして機能するようになっている。
【００５３】筐体２ａの背板８５の上部前面には、後述する遊技制御基板２００が収納された収納ケース５００が、背面板８５の前面上部に取外し不能に固定された取付ケース５１７（図４参照）に対して取外し不能に固定されている。また、可変表示装置５０を構成するリールユニット５２を前方からみて右側の側板５２ａの外側面の上部には後述するリール中継基板２０３が、その下部には後述するリールランプ中継基板２０４がそれぞれ取り付けられている。
【００５４】筐体２ａを前面側からみて左側の側板８６の内面におけるリールユニット５２の側方位置には、後述する演出制御基板２０１が収容された収納ケース５５０が、保持ケース５５１を介して取り付けられている。保持ケース５５１は、特に図４及び図５に示されるように、その上下端縁から内向きガイドレール５５２が連設されており、この上下のガイドレール５５２間に前方から差し込まれる収納ケース５５０の上下端縁が逸脱不能に保持されるようになっている。
【００６５】筐体２ａ、前面扉２ｂそれぞれに設けられる各種基板２００〜２０５、３４１、３７０は、図４及び図１１に示されるように各種ケーブルを介して接続されている。特に前面扉２ｂに設けられる演出用リール基板３４１が接続される演出制御基板２０１が収納される収納ケース５５０が、前面扉２ｂを回動自在に枢支する蝶番８９が取り付けられる側の側板８６に取り付けられているため、配線されたケーブルやコード類が開閉扉２ｂの開閉時に邪魔になることがない。
【００６７】まず図６（ａ）、（ｂ）及び図７に示されるように、収納ケース５００は、平面視で略横長四角状に形成される遊技制御基板２００よりも若干大寸に形成され、下面が開口する略箱形の上部ケース５０１と、上面が開口する略箱形の下部ケース５０２とから構成されており、これら上部ケース５０１及び下部ケース５０２は、それぞれ透明な樹脂材により成形されている。
【００７４】また、上部ケース５０１の上面５０１ａには、後述するように上面に封印シール５３５（図９参照）が貼着される略四角形状の隆起部５１２が、係止片５０５側の所定箇所に突設されているとともに、放熱用の孔部５１３が複数形成されている。また、図６（ａ）中の上部ケース５０１の下側は、上側よりも高さが低くなるように形成されており、この下側には、遊技制御基板２００に接続されるコネクタ等を挿通可能とするための横長の開口部５１４が長手方向に形成されている。
【０１０２】さらに全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組み合わせが表示された場合は入賞となり、各種遊技効果ランプ部４１〜４５の内部に内蔵された遊技効果ランプ１３０〜１３４（図１１参照）や入賞ラインＬ１、Ｌ２、Ｌ２’、Ｌ３、Ｌ３’に対応するリールランプ５５等が点灯するとともに、スピーカ１３６ａ、１３６ｂ、１３７から効果音等が出力されること等による演出が実行される。そして、入賞内容に対応して予め定められた所定枚数のメダル（有価価値）が遊技者に対してクレジットとして払出されてクレジット表示部３１に表示されたクレジット数が加算更新される。また、クレジット数が上限数に達した場合には、メダルが直接メダル払出穴から払い出される。これらメダルの払出し枚数はペイアウト表示部３３に表示される。
【０１０６】スロットマシン１に設けられた各種基板のうち、遊技制御基板２００によって遊技状態が制御され、演出制御基板２０１によって遊技状態に応じた演出制御がなされる。また、電源基板２０２にはスロットマシン１の外部から電源が供給される。この電源基板２０２には、ＡＣ１００Ｖの電源の供給を受けるための電源コード８４と、メインスイッチ８０とが接続されている。
【０１０７】遊技制御基板２００は、演出制御基板２０１、電源基板２０２、リール中継基板２０３と配線接続されているとともに、リール中継基板２０３を介して外部出力基板２０５と、また、演出制御基板２０１を介してリールランプ中継基板２０４、及び演出用リール中継基板３４１と接続されている。
【０１０８】遊技制御基板２００の制御部２１０は、遊技状態がレギュラーボーナス状態であることを示すＲＢ中信号や、遊技状態がビッグボーナス状態であることを示すＢＢ中信号、各リール５１Ｌ、５１Ｃ、５１Ｒに対応するリールモータ５４Ｌ、５４Ｃ、５４Ｒを制御するためのリール制御信号（モータ位相信号）、賭数を設定するために用いられたメダル数を示すメダルＩＮ信号、入賞の発生により遊技者に払出されたメダル（クレジット）数を示すメダルＯＵＴ信号などをリール中継基板２０３を介して外部出力基板２０５からスロットマシン１の外部に出力する制御を行う。なお、ストップスイッチ１０３Ｌ、１０３Ｃ、１０３Ｒの操作がなされた旨を示すストップスイッチ信号は、後述するようにストップスイッチ１０３Ｌ、１０３Ｃ、１０３Ｒから直接出力された信号である。
【０１０９】遊技制御基板２００には、各種のスイッチ、センサ、ランプ、及び表示器からの配線が接続されている。
【０１１１】リール中継基板２０３に配線接続されたリールモータ５４Ｌ、５４Ｃ、５４Ｒ、及びリールセンサ５６は、リール中継基板２０３によって中継されて遊技制御基板２００に配線接続されており、リールセンサ５６の検出信号は、遊技制御基板２００の制御部２１０に入力される。リールランプ５５は、リールランプ中継基板２０４によって中継されて演出制御基板２０１に配線接続されている。遊技制御基板２００の制御部２１０は、始動条件（スタートスイッチ１２３の検出信号の入力）が成立すると、リールモータ５４Ｌ、５４Ｃ、５４Ｒに制御信号を出力してリールの変動を開始させた後、表示結果を導出表示させる可変表示制御を実行する。
【０１１２】遊技制御基板２００に配線接続されたスイッチのうち、１枚ＢＥＴスイッチ１００は１枚ＢＥＴボタン３６ａの操作を検出し、ＭＡＸＢＥＴスイッチ１０１はＭＡＸＢＥＴボタン３６ｂの操作を検知するスイッチであり、スタートスイッチ１０２はスタートレバー３８の操作を検出するスイッチであり、左、中、右ストップスイッチ１０３Ｌ、１０３Ｃ、１０３Ｒは、左、中、右ストップボタン４０Ｌ、４０Ｃ、４０Ｒの操作を検出するスイッチである。精算スイッチ１０４は、精算ボタン３７の操作を検出するスイッチであり、第１リセットスイッチ１０５は、施錠装置３の鍵穴３ａに挿入したキーによるスロットマシン１のリセット操作を検出するスイッチである。
【０１１７】特に、制御部２１０によって制御される「クレジット表示器１０９、ゲーム回数表示器１０８、ペイアウト表示器１１０、投入指示ランプ１１１、１枚賭けランプ１１２〜３枚賭けランプ１１６、スタートランプ１１８、リプレイランプ１１９、ボーナス告知ランプ１１０、ゲームオーバーランプ１１７、左、中、右操作有効ランプ１２２Ｌ、１２２Ｃ、１２２Ｒ」は、遊技の進行に関わる情報を報知するものであり、それが機能しなければ遊技を行うことに支障が出るような、いわば“必須報知装置”といえる。これらの“必須報知装置”が遊技状態を制御する制御部２１０によって制御されるために、たとえ、演出制御基板２０１が故障したとしても、少なくとも遊技の進行に必要な情報が遊技者に提供される。このため、遊技者に不利な状態で遊技が進行してしまうことを防止できる。
【０１２１】演出制御基板２０１には、遊技効果ランプ１３０〜１３４と、放音部１２ａ、１２ｂ、１３に内蔵されるスピーカ１３６ａ、１３６ｂ、１３７と、タイトルパネル７及び遊技パネル６を内側から照らす各蛍光灯１３８と、ウエイトランプ１３９と、小役告知ランプ１４０ａ、１４０ｂ、１４０ｃと、がぞれぞれ接続され、さらに、リールランプ中継基板２０４を介してリール５１Ｌ、５１Ｃ、５１Ｒに内蔵されているリールランプ５５が接続されている。
【０１２３】演出制御基板２０１には、マイクロコンピュータからなる制御部２３０と、各スピーカ１３６ａ、１３６ｂ、１３７から音を出力させるためのスピーカ駆動回路２３５と、各種ランプを点灯あるいは点滅させるためのランプ駆動回路２３７と、演出用リールモータ３０３Ｌ、３０３Ｃ、３０３Ｒを駆動させるためのモータ回路２４０と、バックアップ電源２３８とが搭載されている。
【０１２５】制御部２３０のＲＯＭ２３３には、演出制御基板２０１から送信されたコマンドに対応した演出パターンを定めたデータテーブルが記憶されている。このデータテーブルは、各遊技効果ランプ１３０〜１３４、各スピーカ１３６ａ、１３６ｂ、１３７、各蛍光灯１３８、ウェイトランプ１３９、小役告知ランプ１４０ａ〜１４０ｃ、及び演出用リールモータ３０３Ｌ、３０３Ｃ、３０３Ｒ、演出用リールセンサ３０５、演出用リールＬＥＤ３０４、演出ランプ３６０別に分類されている。例えば所定の遊技情報を示すコマンドを受信した場合、制御部２３０はその遊技状態に応じた演出パターンを各データテーブルから読み出し、この読み出した演出パターンに応じて各遊技効果ランプ１３０〜１３４、各スピーカ１３６ａ、１３６ｂ、１３７、各蛍光灯１３８、ウェイトランプ１３９、小役告知ランプ１４０ａ〜１４０ｃ、リールランプ５５、及び演出用リールモータ３０３Ｌ、３０３Ｃ、３０３Ｒ、演出用リールセンサ３０５、演出用リールＬＥＤ３０４、演出ランプ３６０等を制御する。
【０１２７】図１２に示されるように、スタートスイッチ１０２の検出信号は、スイッチ回路２１５を介して制御部２１０に入力されるとともに、サンプリング回路２２２に入力される。制御部２１０は、スタートスイッチ１０２の検出信号を受け、モータ回路２１６を介してリール制御信号を出力する。このリール制御信号はリール中継基板２０３を介して各リール５１Ｌ、５１Ｃ、５１Ｒ別に設けられたリールモータ５４Ｌ、５４Ｃ、５４Ｒに入力される。また、リール制御信号は、リール中継基板２０３及び外部出力基板２０５を介してスロットマシン１の外部へ出力される。
　
　ところで、引用文献１には、「前方からみて」（段落【００５３】）及び「前面側からみて」（段落【００５４】、【００５６】）という表記が混在しているが、本審決では、「前面側からみて」に統一して表記することとする。
　また、引用文献１の【図５】及び段落【００５４】からみて、演出制御基板２０１が収容された収納ケース５５０は、左側の側板８６の内面におけるリールユニット５２の側方位置に縦置きに取り付けられているものと認められる。
　さらに、引用文献１の段落【００４６】に「上部飾り枠８」と記載されているが誤記であり、「上部飾り枠４」を正しい記載と認定した。
　
　摘記した上記の記載や図面等によれば、引用文献１には、以下の発明（以下「引用発明」という。）が記載されている。
「　前面が開口する筐体２ａと、該筐体２ａを前面側からみて左側の側板８６に回動自在に枢支された前面扉２ｂとから構成されており、
　前記筐体２ａには、遊技状態を制御する遊技制御基板２００が収納された収納ケース５００と、遊技状態に応じた演出制御を行う演出制御基板２０１が収容された収納ケース５５０と、可変表示装置５０を構成するリールユニット５２と、前記遊技制御基板２００の制御部２１０が出力したリール制御信号をリールモータ５４Ｌ、５４Ｃ、５４Ｒに入力するリール中継基板２０３とを設け、
　前記前面扉２ｂの上部飾り枠４の下部における前側面には、ゲームを開始する際に操作するスタートレバー３８と該スタートレバー３８の操作を検出するスタートスイッチ１０２と、ゲームが開始した後にリール５１Ｌ、５１Ｃ、５１Ｒの回転を停止させる際に操作する左、中、右ストップボタン４０Ｌ、４０Ｃ、４０Ｒと、該左、中、右ストップボタン４０Ｌ、４０Ｃ、４０Ｒの操作を検出する左、中、右ストップスイッチ１０３Ｌ、１０３Ｃ、１０３Ｒが設けられ、前記左、中、右ストップボタン４０Ｌ、４０Ｃ、４０Ｒの内部には操作有効ランプ１２２Ｌ、１２２Ｃ、１２２Ｒが内蔵されており、該操作有効ランプ１２２Ｌ、１２２Ｃ、１２２Ｒは前記制御部２１０によって制御され、前記上部飾り枠４には、遊技効果ランプ１３０〜１３４が内部に内蔵された遊技効果ランプ部４１〜４５が設けられ、前記演出制御基板２０１の制御部２３０は遊技状態に応じた演出パターンで前記遊技効果ランプ１３０〜１３４を制御するスロットマシンにおいて、
　前記リールユニット５２は、ゲーム用識別情報としての複数種の図柄が印刷された透光性を有する帯状のリールシートが外周に巻回されたリール５１Ｌ、５１Ｃ、５１Ｒと、前面側からみて右側の側板５２ａ等を有し、
　前記収納ケース５００は、前記筐体２ａの背板８５の上部前面に固定された取付ケース５１７に対して固定され、前記収納ケース５００の上部ケース５０１の下側には、前記遊技制御基板２００に接続されるコネクタ等を挿通可能とするための横長の開口部５１４が長手方向に形成され、前記遊技制御基板２００は、各種スイッチ、センサ、ランプ、及び表示器並びに前記演出制御基板２０１及び前記リール中継基板２０３と配線接続され、
　前記演出制御基板２０１が収容された収納ケース５５０は、前記左側の側板８６の内面における前記リールユニット５２の側方位置に縦置きに取り付けられるとともに、
　前記演出制御基板２０１は、前記遊技制御基板２００と配線接続されるとともに、演出用リール中継基板３４１及び前記遊技効果ランプ１３０〜１３４と接続され、また、リールランプ中継基板２０４を介して前記リール５１Ｌ、５１Ｃ、５１Ｒにおける特定の表示領域を裏面から個別に照射可能な複数のリールランプ５５と接続されるとともに、遊技状態に応じた演出パターンに応じて前記リールランプ５５を制御し、
　前記右側の側板５２ａの外側面に、前記リール中継基板２０３、及び前記リールランプ中継基板２０４が取り付けられ、
　前記遊技制御基板２００には、前記操作有効ランプ１２２Ｌ、１２２Ｃ、１２２Ｒ、前記スタートスイッチ１０２及び前記左、中、右ストップスイッチ１０３Ｌ、１０３Ｃ、１０３Ｒからの配線が接続されているスロットマシン。」
　
（２）引用発明と本願補正発明との対比
　そこで、本願補正発明と引用発明とを比較すると、引用発明の「前面が開口する筐体２ａ」は、本願補正発明の「前面が開放した筐体」に相当し、以下同様に、
「筐体２ａを前面側からみて左側の側板８６」は「筐体の側部を形成する左右の両側板のうちいずれか一方の側板」に、
「回動自在に枢支された前面扉２ｂ」は「ヒンジ軸により開閉可能に設けられる前扉」に、
「とから構成されており」は「とを備え」に、
「前記筐体２ａには」は「前記筐体内に」に、
「遊技状態を制御する遊技制御基板２００」は「遊技を制御するための主制御基板」に、
「リールユニット５２」は「リールユニット」に、
「ゲームを開始する際に操作するスタートレバー３８」及び「ゲームが開始した後にリール５１Ｌ、５１Ｃ、５１Ｒの回転を停止させる際に操作する左、中、右ストップボタン４０Ｌ、４０Ｃ、４０Ｒ」は「少なくとも遊技を実行するときに操作される操作手段」に、
「遊技効果ランプ１３０〜１３４」は「ランプ」に、
「スロットマシン」は「遊技機」に、
「ゲーム用識別情報としての複数種の図柄が印刷された透光性を有する帯状のリールシートが外周に巻回されたリール５１Ｌ、５１Ｃ、５１Ｒ」は「外周面に前記識別情報が表示された回転リール」に、
「取り付けられ」は「固定され」又は「配置し」に、
「前記リール５１Ｌ、５１Ｃ、５１Ｒにおける特定の表示領域を裏面から個別に照射可能な複数のリールランプ５５」は「前記回転リールのバックライト」に、
「リールランプ中継基板２０４」は「サブリール基板」に、それぞれ相当する。
　さらに、引用文献１の記載等からみて、以下のことがいえる。
　
ａ．引用発明の「遊技状態」は「遊技制御基板２００」が制御しているから、引用発明において「遊技状態に応じた演出制御を行う」ことは、本願補正発明において「主制御基板の制御に基づいて演出制御信号を出力」することに相当する。
　そうすると、引用発明の「遊技状態に応じた演出制御を行う演出制御基板２０１」は、本願補正発明の「主制御基板の制御に基づいて演出制御信号を出力可能な副制御基板」に相当するものといえる。
　また、引用発明の「リールユニット５２」は、「ゲーム用識別情報としての複数種の図柄が印刷された透光性を有する帯状のリールシートが外周に巻回されたリール５１Ｌ、５１Ｃ、５１Ｒ」（本願補正発明の「回転リール」に相当）を有し、遊技制御基板２００の制御部２１０が出力したリール制御信号をリールモータ５４Ｌ、５４Ｃ、５４Ｒに入力して、それらのリールの回転と停止が制御されているのであるから、引用発明の「可変表示装置５０を構成するリールユニット５２」は、本願補正発明の「複数の識別情報を変動及び停止表示可能なリールユニット」に相当するものということができるとともに、引用発明の「前記遊技制御基板２００の制御部２１０が出力したリール制御信号をリールモータ５４Ｌ、５４Ｃ、５４Ｒに入力するリール中継基板２０３」は、本願補正発明の「前記主制御基板の制御に基づいて前記リールユニットの後記回転リールの回転を制御するための回転リール制御基板」に相当するものといえる。
　
ｂ．引用発明の「操作有効ランプ１２２Ｌ、１２２Ｃ、１２２Ｒ」は、遊技制御基板２００の制御部２１０によって制御されているから、本願補正発明の「前記主制御基板の制御信号に基づいて遊技情報を表示可能な表示手段」に相当する。
　また、引用発明の「遊技制御基板２００」には、「スタートスイッチ１０２」及び「左、中、右ストップスイッチ１０３Ｌ、１０３Ｃ、１０３Ｒ」からの配線が接続されているから、「スタートレバー３８の操作を検出するスタートスイッチ１０２」及び「左、中、右ストップボタン４０Ｌ、４０Ｃ、４０Ｒの操作を検出する左、中、右ストップスイッチ１０３Ｌ、１０３Ｃ、１０３Ｒ」は、「遊技制御基板２００」へ信号を出力するものであって、本願補正発明の「前記主制御基板へ操作信号を出力可能な操作検出手段」に相当するものといえる。
　さらに、遊技効果ランプ１３０〜１３４は、遊技状態に応じた演出パターンで制御されるから、本願補正発明の「所定の遊技状態になったとき点灯または点滅するランプ」に相当する。　
　そうしてみると、引用発明の「スロットマシン」は、本願補正発明の「前記前扉に、前記主制御基板の制御信号に基づいて遊技情報を表示可能な表示手段と、少なくとも遊技を実行するときに操作される操作手段の操作に基づいて、前記主制御基板へ操作信号を出力可能な操作検出手段と、所定の遊技状態になったとき点灯または点滅するランプとを設けた」に相当する構成を有しているといえる。
　
ｃ．引用文献１には、「前方からみて右側の側板５２ａ」についての説明しか記載されてはいないが、図２によれば、前方からみて左側にも側板があるものと認められ、左右の側板がリール５１Ｌ、５１Ｃ、５１Ｒを支持するためのものであることも明らかである。
　また、図２及び図５等からみて、「リールユニット５２」は正面視矩形状であると認められ、リール５１Ｌ、５１Ｃ、５１Ｒが前方から視認可能となっていることはいうまでもない。
　そうすると、引用発明の「リールユニット５２」は、本願補正発明の「回転リールを支持するための左右の側板部を有するとともに前面が開放する正面視矩形のリール枠体」に相当する構成を含むものであるといえる。
　
ｄ．引用発明の「収納ケース５００」は、遊技制御基板２００（本願補正発明の「主制御基板」に相当）が収納されたものであるとともに、その固定位置である「筐体２ａの背板８５の上部前面」は、図２及び図４等からみて「リールユニット５２」の真後ろ上方であると認められるから、引用発明の「遊技制御基板２００」は、本願補正発明の「前記筐体内にあって前記リール枠体の真後ろ上方」に相当する位置に取り付けられるものといえる。
　また、引用発明の「収納ケース５００」の下側には、遊技制御基板２００に接続されるコネクタ等を挿通可能とするための横長の開口部５１４が長手方向に形成されており、図４を参酌すれば、その開口部５１４近傍に遊技制御基板２００のコネクタが配置されていることが見てとれるから、遊技制御基板２００の前面下部に、演出制御基板２０１、リール中継基板２０３、各種スイッチ、センサ、ランプ、及び表示器と配線接続するための複数のコネクタが配置されているといえる。
　そして、演出制御基板２０１と配線接続するためのコネクタは、本願補正発明の「副制御基板用電気的接続ケーブルの一端が接続される副制御基板出力コネクタ」に相当し、同様に、リール中継基板２０３と配線接続するためのコネクタは「回転リール用電気的接続ケーブルの一端が接続される回転リール出力コネクタ」に、各種スイッチと配線接続するためのコネクタは「スイッチ入力用電気的ケーブルの一端が接続されるスイッチ入力コネクタ」に、ランプ及び表示器と配線接続するためのコネクタは「表示手段用電気的接続ケーブルの一端が接続される表示出力コネクタ」に、それぞれ相当するものといえる。
　そうすると、引用発明の「遊技制御基板２００」と本願補正発明の「主制御基板」は、“前面下部に副制御基板用電気的接続ケーブルの一端が接続される副制御基板出力コネクタと、表示手段用電気的接続ケーブルの一端が接続される表示出力コネクタと、スイッチ入力用電気的ケーブルの一端が接続されるスイッチ入力コネクタと、回転リール用電気的接続ケーブルの一端が接続される回転リール出力コネクタとを左右方向に並設”している点で共通する。
　
ｅ．上記ｃ．で述べたように、引用発明の「リールユニット５２」には、前方からみて左側にも側板があるものと認められ、該側板は、本願補正発明の「前記筐体の前記一方の側板の内面に対向する方の側板部」に相当するから、引用発明の「演出制御基板２０１」と本願補正発明の「副制御基板」は、“前記リール枠体の前記左右の側板部のうち、前記筐体の前記一方の側板の内面に対向する方の側板部の対向面と前記一方の側板の内面との間に縦置きに固定される”点で共通している。
　
ｆ．引用発明の「演出制御基板２０１」は、前記遊技制御基板２００と配線接続されているとともに、演出用リール中継基板３４１及び前記遊技効果ランプ１３０〜１３４が接続されており、図４を参酌すれば、演出制御基板２０１がコネクタを有していることが見てとれるから、演出制御基板２０１は、遊技制御基板２００（本願補正発明の「主制御基板」に相当）、演出用リール中継基板３４１（本願補正発明の「サブリール基板」に相当）及び遊技効果ランプ１３０〜１３４（本願補正発明の「ランプ」に相当）と接続するための複数のコネクタを有しているといえる。
　そして、遊技制御基板２００と接続するためのコネクタは、本願補正発明の「前記副制御基板用電気的接続ケーブルの他端が接続される主制御基板入力コネクタ」に相当し、演出用リール中継基板３４１と接続するためのコネクタは、本願補正発明の「サブリール基板用電気的接続ケーブルの一端が接続されるサブリール基板出力コネクタ」に相当するものといえる。
　さらに、引用発明の「演出制御基板２０１」は、遊技状態に応じた演出パターンに応じて前記遊技効果ランプ１３０〜１３４を制御しているから、遊技効果ランプ１３０〜１３４と接続するためのコネクタは、本願補正発明の「前記ランプへ制御信号を送信するための演出用電気的接続ケーブルが接続される演出出力コネクタ」に相当するものといえる。
　
ｇ．引用発明の「リール中継基板２０３」は、前記遊技制御基板２００と配線接続されているから、上記ｄ．で述べたことを考え合わせると、本願補正発明の「前記回転リール用電気的接続ケーブルの他端が接続される」に相当する構成も備えているといえる。
　また、引用発明の「リールランプ中継基板２０４」は、「演出制御基板２０１」及び「リールランプ５５」と接続され、また、「リールランプ５５」は、「演出制御基板２０１」及び「リールランプ中継基板２０４」によって、遊技状態に応じた演出パターンに応じて制御されているということができる。
　よって、引用発明と本願補正発明は、“前記リール枠体に、前記回転リール用電気的接続ケーブルの他端が接続される前記回転リール制御基板、及び前記サブリール基板用電気的接続ケーブルの他端が接続され前記副制御基板から出力される制御信号に基づいて、前記リールユニットにおける前記回転リールのバックライトの点灯及び消灯を制御するためのサブリール基板を配置”している点で共通している。
　
ｈ．上記ｄ．で述べたことから、引用発明の「遊技制御基板２００」と「操作有効ランプ１２２Ｌ、１２２Ｃ、１２２Ｒ」は、本願補正発明の「表示手段用電気的接続ケーブル」に相当する配線で接続され、引用発明の「遊技制御基板２００」と「スタートスイッチ１０２」及び「左、中、右ストップスイッチ１０３Ｌ、１０３Ｃ、１０３Ｒ」は、本願補正発明の「スイッチ入力用電気的接続ケーブル」に相当する配線で接続されているといえる。
　また、上記ｂ．で述べたとおり、引用発明の「操作有効ランプ１２２Ｌ、１２２Ｃ、１２２Ｒ」は、本願補正発明の「表示手段」に相当し、引用発明の「スタートスイッチ１０２」及び「左、中、右ストップスイッチ１０３Ｌ、１０３Ｃ、１０３Ｒ」は、本願補正発明の「操作検出手段」に相当している。
　よって、引用発明と本願補正発明は、“前記表示手段用電気的接続ケーブル及び前記スイッチ入力用電気的接続ケーブルを配線して、前記表示手段及び前記操作検出手段にそれぞれ接続した”点で共通している。
　
　以上を総合すると、両者は、
「　前面が開放した筐体と、該筐体の側部を形成する左右の両側板のうちいずれか一方の側板の前端部にヒンジ軸により開閉可能に設けられる前扉とを備え、前記筐体内に、遊技を制御するための主制御基板と、前記主制御基板の制御に基づいて演出制御信号を出力可能な副制御基板と、複数の識別情報を変動及び停止表示可能なリールユニットと、前記主制御基板の制御に基づいて前記リールユニットの後記回転リールの回転を制御するための回転リール制御基板とを設け、前記前扉に、前記主制御基板の制御信号に基づいて遊技情報を表示可能な表示手段と、少なくとも遊技を実行するときに操作される操作手段の操作に基づいて、前記主制御基板へ操作信号を出力可能な操作検出手段と、所定の遊技状態になったとき点灯または点滅するランプとを設けた遊技機において、
　前記リールユニットは、外周面に前記識別情報が表示された回転リールと、該回転リールを支持するための左右の側板部を有するとともに前面が開放する正面視矩形のリール枠体とを含み、
　前記主制御基板は、前記筐体内にあって前記リール枠体の真後ろ上方に取り付けられるとともに、前面下部に副制御基板用電気的接続ケーブルの一端が接続される副制御基板出力コネクタと、表示手段用電気的接続ケーブルの一端が接続される表示出力コネクタと、スイッチ入力用電気的ケーブルの一端が接続されるスイッチ入力コネクタと、回転リール用電気的接続ケーブルの一端が接続される回転リール出力コネクタとを左右方向に並設し、
　前記副制御基板は、前記リール枠体の前記左右の側板部のうち、前記筐体の前記一方の側板の内面に対向する方の側板部の対向面と前記一方の側板の内面との間に縦置きに固定されるとともに、前記副制御基板用電気的接続ケーブルの他端が接続される主制御基板入力コネクタ、サブリール基板用電気的接続ケーブルの一端が接続されるサブリール基板出力コネクタ及び前記ランプへ制御信号を送信するための演出用電気的接続ケーブルが接続される演出出力コネクタを有し、
　前記リール枠体に、前記回転リール用電気的接続ケーブルの他端が接続される前記回転リール制御基板、及び前記サブリール基板用電気的接続ケーブルの他端が接続され前記副制御基板から出力される制御信号に基づいて、前記リールユニットにおける前記回転リールのバックライトの点灯及び消灯を制御するためのサブリール基板を配置し、
　前記表示手段用電気的接続ケーブル及び前記スイッチ入力用電気的接続ケーブルを配線して、前記表示手段及び前記操作検出手段にそれぞれ接続した遊技機。」
の点で一致し、以下の点で相違している。
　
［相違点１］本願補正発明の「主制御基板」の前面下部には、「前記副制御基板出力コネクタ、前記表示出力コネクタ及び前記スイッチ入力コネクタを前記筐体における前記一方の側板と前記一方の側板に対向する他方の側板間の真ん中よりも前記一方の側板寄りに配置」しているのに対し、引用発明の「遊技制御基板２００」の前面下部には、演出制御基板２０１、リール中継基板２０３、各種スイッチ、センサ、ランプ、及び表示器と配線接続するための複数のコネクタをどのように配置しているか明らかでない点。
［相違点２］本願補正発明の「副制御基板」は、「前記筐体の前記一方の側板の内面に対向する方の側板部の対向面に、前記一方の側板の内面から離間するように」固定されるのに対し、引用発明の「演出制御基板２０１」は、「前記左側の側板８６の内面における前記リールユニット５２の側方位置に」固定される点。
［相違点３］本願補正発明は、前記リール枠体の上面に、「回転リール制御基板」及び「サブリール基板」を配置するのに対し、引用発明は、前記右側の側板５２ａの外側面に、「リール中継基板２０３」及び「リールランプ中継基板２０４」が取り付けられる点。
［相違点４］本願補正発明は、「前記表示手段用電気的接続ケーブル及び前記スイッチ入力用電気的接続ケーブルを、前記一方の側板の内面と前記副制御基板との間の隙間にあって前記一方の側板の最奥の位置に沿って配線」しているのに対し、引用発明は、遊技制御基板２００と操作有効ランプ１２２Ｌ、１２２Ｃ、１２２Ｒ、並びに遊技制御基板２００とスタートスイッチ１０２及び左、中、右ストップスイッチ１０３Ｌ、１０３Ｃ、１０３Ｒとを接続する配線がどのように配置されているか明らかでない点。
　
（３）相違点の検討及び判断
［相違点１について］
　摘記した引用文献１の段落【００６５】には、「前面扉２ｂに設けられる演出用リール基板３４１が接続される演出制御基板２０１が収納される収納ケース５５０が、前面扉２ｂを回動自在に枢支する蝶番８９が取り付けられる側の側板８６に取り付けられているため、配線されたケーブルやコード類が開閉扉２ｂの開閉時に邪魔になることがない。」と記載されているから、引用文献１には、前面扉２ｂに設けられる電装品と筐体に設けられる電装品をケーブルやコード類で接続する場合、筐体に設けられる電装品におけるケーブルやコード類との接続箇所は側板８６に近い方が良いことが示されているといえる。
　そうしてみると、引用発明において、前面扉２ｂに設けられている操作有効ランプ１２２Ｌ、１２２Ｃ、１２２Ｒ、スタートスイッチ１０２及び左、中、右ストップスイッチ１０３Ｌ、１０３Ｃ、１０３Ｒと、筐体に設けられている遊技制御基板２００とを接続する配線の遊技制御基板２００における接続箇所を、前面扉２ｂに近い側として、上記相違点１に係る本願補正発明のような構成とすることは、遊技機における通常の知識を有する者（以下「当業者」という。）が容易に想到できることといえる。
　また、引用発明の「遊技制御基板２００」と「演出制御基板２０１」を接続する配線については、引用文献１の図４に「遊技制御基板２００」の前面下部の側板８６に近い位置にあるコネクタを接続箇所とすることが示されているし、「演出制御基板２０１」は側板８６の内面に取り付けられていることから、演出制御基板２０１と接続するための遊技制御基板２００の前面下部にあるコネクタの配置を側板８６に近い位置とすることは、当業者がごく普通に行い得る事項である。
　さらに、コネクタが一方の側板と前記一方の側板に対向する他方の側板間の真ん中よりも前記一方の側板寄りに配置されるか否かは、前面扉２ｂに設けられる部材と遊技制御基板２００とを接続する配線の数とコネクタの大きさに依存するものであるが、その配置を側板８６に近い位置とすべきである以上、当業者が側板８６と側板８７の間の真ん中より側板８６寄りとなるように設計することは当然である。
　
［相違点２について］
　リールユニットの上面や側面に各種基板を配設することは、例えば、引用文献１（特に、段落【００５３】、図２及び図４）、特開平４−２４６３８７公報（特に、段落【００１８】及び図１）、特開２００２−６５９３９号公報（特に、段落【００３４】及び図５）、特開２００２−１４３３６９号公報（拒絶理由の引用文献３、特に段落【００２０】及び図３）及び特開２００３−３１０８３２号公報（段落【００８４】及び図６）に記載されるように、従来周知の技術（以下「周知技術１」という。）であるから、引用発明の「演出制御基板２０１」（本願補正発明の「副制御基板」に相当）をリールユニット５２の左側の側板の外側面に配設して、上記相違点２に係る本願補正発明のような構成とすることは、当業者が容易に想到できることである。
　
［相違点３について］
　リールユニットの上面や側面に各種基板を配設することは、上記［相違点２について］の項で述べたとおり周知技術１であり、遊技機内部の配線の長さを短くすることは、例を挙げるまでもなく従来周知の技術課題である。
　そして、引用発明の「リール中継基板２０３」は、遊技制御基板２００の制御部２１０が出力したリール制御信号をリールモータ５４Ｌ、５４Ｃ、５４Ｒに入力するものであるから、当業者にとって「リール中継基板２０３」を「遊技制御基板２００」及び「リールモータ５４Ｌ、５４Ｃ、５４Ｒ」の両方に近い位置に設けようとすることは格別困難なことではない。
　同様に、引用発明の「リールランプ中継基板２０４」は、上記（２）ｇ．で述べたように、「演出制御基板２０１」及び「リールランプ５５」と接続されるものであるから、当業者にとって「リールランプ中継基板２０４」を「演出制御基板２０１」及び「リールランプ５５」の両方に近い位置に設けようとすることは格別困難なことではない。
　そうしてみると、引用発明の「遊技制御基板２００」は、上記（２）ｄ．で述べたとおり「リールユニット５２」の真後ろ上方に固定され、また、「演出制御基板２０１」は左側の側板８６の内面における前記リールユニット５２の側方位置、すなわち「リールユニット５２」の左側方に取り付けられているから、引用発明の「リール中継基板２０３」及び「リールランプ中継基板２０４」を、右側の側板５２ａの外側面より「遊技制御基板２００」及び「演出制御基板２０１」に近い「リールユニット５２」上面に設けるようにして、上記相違点３に係る本願補正発明のような構成とすることは、当業者が容易に想到できることである。
　
［相違点４について］
　上記「第二．３．」で指摘したように、「前記一方の側板の内面と前記副制御基板との間の隙間にあって前記一方の側板の最奥の位置に沿って配線」という限定事項は不明りょうであるが、遊技機において固定体に沿わせて配線する技術は、例えば、特開平５−３２９２６６号公報（特に、段落【００２５】及び図５）、前置報告書で示された特開平７−２３６７５２号公報（特に、段落【００１１】、図２及び図３）及び同じく前置報告書で示された特開２００２−１８０７６号公報（特に、段落【００１４】、【００１６】、【００１８】及び図１〜４）に記載されるように、従来周知の技術（以下「周知技術２」という。）であるから、前面扉２ｂに設けられている操作有効ランプ１２２Ｌ、１２２Ｃ、１２２Ｒ、スタートスイッチ１０２及び左、中、右ストップスイッチ１０３Ｌ、１０３Ｃ、１０３Ｒと、筐体に設けられている遊技制御基板２００とを接続する配線に周知技術２を適用することは当業者が適宜行い得ることである。
　そして、その際に、配線の一部について左側の側板８６の最奥に沿わせるようにすることは、その配線が筐体２ａの背板８５の上部前面に固定されている遊技制御基板２００から前面扉２ｂの枢支された側に延びるものであることを考えると、当業者が普通に採用し得ることである。
　よって、引用発明において、遊技制御基板２００と操作有効ランプ１２２Ｌ、１２２Ｃ、１２２Ｒ、並びに遊技制御基板２００とスタートスイッチ１０２及び左、中、右ストップスイッチ１０３Ｌ、１０３Ｃ、１０３Ｒとを接続する配線の一部を、左側の側板８６の最奥に沿わせて上記相違点４に係る本願補正発明のような構成とすることは、当業者が容易に想到できることである。
　
（４）まとめ
　以上のように上記相違点１〜４は、いずれも当業者が容易に想到できるものであり、本願補正発明の作用効果も、引用発明及び周知技術１、２に基づいて当業者が予測できる範囲のものである。
　よって、本願補正発明は、引用発明及び周知技術１、２に基づいて、当業者が容易に発明をすることができたものであって、特許法第２９条第２項の規定により特許出願の際独立して特許を受けることができない。
　
第三．本願発明について
１．本願発明
　平成２２年９月２９日付けの手続補正は上記のとおり却下されたので、本願の請求項１に係る発明（以下「本願発明」という。）は、同年３月１０日付け手続補正書の特許請求の範囲の請求項１に記載された事項により特定される、以下のとおりのものである。
「　前面が開放した筐体と、該筐体の側部を形成する両側板のうち一方の側板の前端部にヒンジ軸により開閉可能に設けられる前扉とを備え、前記筐体内に、遊技を制御するための主制御基板と、複数の識別情報を変動及び停止表示可能なリールユニットとを設け、前記前扉に、前記主制御基板の制御信号に基づいて遊技情報を表示可能な表示手段と、少なくとも遊技を実行するときに操作される操作手段の操作に基づいて、前記主制御基板へ操作信号を出力可能な操作検出手段とを設けた遊技機において、
　前記リールユニットは、外周面に前記識別情報が表示された回転リールと、該回転リールを支持するための前面が開放する正面視矩形のリール枠体とを含み、前記リール枠体における前記筐体の前記一方の側板の内面に対向する側面に、前記主制御基板の制御に基づいて演出制御信号を出力可能な副制御基板を、前記一方の側板の内面から離間するように縦置きに配置し、
　前記主制御基板の前面に、複数の電気的接続ケーブルがそれぞれ接続されるコネクタを左右方向に沿って複数設けるとともに、前記複数のコネクタのうち、前記電気的接続ケーブルにより、前記表示手段に接続される表示出力コネクタ、及び前記操作検出手段に接続されるスイッチ入力コネクタを、前記筐体における前記一方の側板と前記一方の側板に対向する他方の側板との間の中心線と前記一方の側板の内面との間の範囲内に配置し、かつ前記複数の電気的接続ケーブルのうち、少なくとも前記表示出力コネクタ及び前記スイッチ入力コネクタにそれぞれ接続される電気的接続ケーブルを、前記一方の側板の内面と前記副制御基板との間の隙間を通るように前記一方の側板に沿って配線して、前記表示手段及び前記操作検出手段のそれぞれに接続したことを特徴とする遊技機。」
　
２．特許法第２９条第２項の検討
（１）引用文献記載事項
　原査定における引用文献１及びその記載事項は、上記「第二．４．（１）」に記載したとおりである。
　
（２）引用発明と本願発明との対比及び判断
　本願発明は、上記「第二」で検討した本願補正発明から、「前記主制御基板の制御に基づいて前記リールユニットの後記回転リールの回転を制御するための回転リール制御基板」、「所定の遊技状態になったとき点灯または点滅するランプ」、「サブリール基板用電気的接続ケーブルの一端が接続されるサブリール基板出力コネクタ」、「前記リール枠体の上面に、前記回転リール用電気的接続ケーブルの他端が接続される前記回転リール制御基板、及び前記サブリール基板用電気的接続ケーブルの他端が接続され前記副制御基板から出力される制御信号に基づいて、前記リールユニットにおける前記回転リールのバックライトの点灯及び消灯を制御するためのサブリール基板を配置し」等の構成を省いたものといえる。
　そうすると、本願発明の構成要件を全て含み、さらに他の構成要件を付加したものに相当する本願補正発明が、上記「第二．４．（４）」に記載したとおり、引用発明及び周知技術１、２に基づいて、当業者が容易に発明をすることができたものであるから、本願発明も、同様の理由により、引用発明及び周知技術１、２に基づいて、当業者が容易に発明をすることができたものである。
　
（３）まとめ
　以上のとおり、本願発明は、引用発明及び周知技術１、２に基づいて、当業者が容易に発明をすることができたものであるから、特許法第２９条第２項の規定により特許を受けることができない。
　
第四．むすび
　本願発明は、特許法第２９条第２項の規定により特許を受けることができないから、本願は拒絶すべきものである。
　よって、結論のとおり審決する。